(57)【要約】【課題】外部からのサムターンの回動操作を阻止可能で、防犯特性に優れた錠前、並びに、サムターンの提供を目的とした。【解決手段】錠前１は、施錠状態で摘み部材５０に作用するモーメントにより力Ａが作用すると、テーパー部７６に分力Ｃが発生する。一方、摘み部材５０には、サムターン軸７７に装着された回転阻止部材８２を介してバネ９３から力Ｄが作用する。摘み部材５０に作用するモーメントが大きく、分力Ｃが力Ｄの分力Ｅよりも大きくなると、回転阻止部材８２がボス部６８の内側へと移動し、凸部８６，８７が被係合部７２，７３に係合する。【選択図】  図１２
2004346663.tif 000002
【特許請求の範囲】
【請求項１】
デッドボルトと摘み部材とを有し、当該摘み部材の回転操作によりデッドボルトを出入りさせる錠前において、摘み部材を回転自在に支持する支持部材と、当該支持部材に係合可能な回転阻止部材と、当該回転阻止部材を支持部材から離反する方向に付勢する付勢手段とを有し、摘み部材は、前記支持部材に挿通される軸部と、当該軸部の一端側に形成された摘み部とを有し、前記回転阻止部材は、軸部に装着され、常時は支持部材から離反しており、摘み部が前記軸部の軸心周りのモーメントを受けることにより回転阻止部材に作用する力が、回転阻止部材が前記付勢手段から受ける付勢力よりも大きい場合に回転阻止部材が支持部材に近接して係合し、摘み部材の回動を阻止することを特徴とする錠前。
【請求項２】
付勢手段は、回転阻止部材を軸部の軸心方向であって支持部材から離反する方向に付勢することを特徴とする請求項１に記載の錠前。
【請求項３】
支持部材は、摘み部材の軸部を挿通可能な挿通孔を有し、当該挿通孔の周部及び／又は摘み部材の軸部には、テーパー部が設けられていることを特徴とする請求項１又は２に記載の錠前。
【請求項４】
回転阻止部材は、係合部を有し、支持部材は、回転阻止部材と対向する位置に前記係合部と係合し、回転阻止部材の回転を阻止する被係合部を有していることを特徴とする請求項１乃至３のいずれかに記載の錠前。
【請求項５】
係合部は回転阻止部材の周方向に複数設けられており、係合部と同数あるいはそれ以上の被係合部が支持部材に設けられていることを特徴とする請求項４に記載の錠前。
【請求項６】
係合部は、回転阻止部材の周上の２点を結ぶ線分上に位置していることを特徴とする請求項４又は５に記載の錠前。
【請求項７】
摘み部材と、摘み部材を回転自在に支持する支持部材と、当該支持部材に係合可能な回転阻止部材と、当該回転阻止部材を支持部材から離反する方向に付勢する付勢手段とを有し、摘み部材は、前記支持部材に挿通され錠本体と係合する軸部と、当該軸部の一端側に形成された摘み部とを有し、前記回転阻止部材は、軸部に装着され、常時は支持部材から離反しており、摘み部が前記軸部の軸心周りのモーメントを受けることにより回転阻止部材に作用する力が、回転阻止部材が前記付勢手段から受ける付勢力よりも大きい場合に回転阻止部材が支持部材に近接して係合し、摘み部材の回動を阻止することを特徴とするサムターン。
【発明の詳細な説明】
【０００１】
【発明の属する技術分野】
本発明は錠前に関するものであり、特に摘み部材の回動方向以外の外力が作用した際に摘み部材の回動が阻止される錠前、並びに、サムターンに関する。
【０００２】
【従来の技術】
従来より、摘み部材を回動させることによりロックボルトを出入りさせ、これにより施錠あるいは開錠を行う錠前が玄関の扉等に採用されている。さらに具体的には、錠前は、本体部分が扉内に埋め込まれ、扉の側面からデッドボルトを突出・退入可能なように固定されている。錠前を玄関先の扉の施錠に採用する場合は、扉の屋外側に錠前の施錠・開錠を行うためのシリンダー錠を設けると共に、屋内側に摘み部材が取り付けられている。
【０００３】
デッドボルトは、シリンダー錠あるいは摘み部材を回動させることにより扉の側面から出入りするようになっている。扉が固定されている扉枠には、扉の側面から突出したデッドボルトを収納可能な収納部が設けられている。扉は、シリンダー錠や摘み部材を回動させ、デッドボルトを収納部に出入りさせることにより施錠状態あるいは開錠状態になる。
【０００４】
一方、近年ドリル等で扉に穴を空けたり、扉と扉の取り付け枠との隙間から工具等を差し込み、摘み部材を回して不正開錠する、いわゆるサムターン回しという手口で家屋に侵入する犯罪が横行しており、社会的問題となっている。かかる問題を解決すべく、例えば上記特許文献１に示すように扉の摘み部材を囲む位置にサムターンカバーを設けることにより、いわゆるサムターン回しという手口による不正開錠を防止する方策が提案されている。
【０００５】
また、上記したサムターン回しによる不正開錠を防止する方策として、下記特許文献２に示すような摘み部材を具備した錠前がある。特許文献２に開示されている摘み部材は、摘み部分が着脱可能であり、摘み部分を抜いておくことで不正開錠を防止するものである。
【０００６】
【特許文献１】
特開２００３−０５６２１８号公報
【特許文献２】
特開平１１−２００６７８号公報
【０００７】
【発明が解決しようとする課題】
上記特許文献１に開示されているように、摘み部材の周囲にサムターンカバーを設ければ、扉に穴を空けたりして工具等を差し込んでも、その工具が摘み部材に到達し難い。そのため、摘み部材を特許文献１に開示されているようなサムターンカバーで保護すれば、扉の不正開錠を防止することができる。
【０００８】
しかし、上記したようにサムターンカバーを設ける場合、摘み部材の回動操作を行う度にサムターンカバーの蓋体を開ける必要がある。また、サムターンカバーを設ける構成とした場合、蓋体を閉じ忘れてしまうとサムターン回しに対する防犯効果が半減してしまうという問題点を有する。また、上記特許文献２のように摘み部材の摘み部分が着脱可能な構成とした場合も、摘み部分を抜き忘れてしまうとサムターン回しによる不正開錠に対する効果が全く発揮できないという問題がある。
【０００９】
そこで、本発明では、外部からの摘み部材の回動操作を阻止可能で、防犯特性に優れた錠前、並びに、サムターンの提供を目的とした。
【００１０】
【課題を解決するための手段】
上記したように、サムターン回しと称される不正開錠は、扉に穴を空けたり、扉と扉の取り付け枠との隙間から工具等を差し込み、扉の外側から内側にある摘み部材を回すものである。そのため、サムターン回しを行う際には、摘み部材の摘み部の端部に集中的に荷重が作用するものと想定される。
【００１１】
かかる知見に基づいて提供される請求項１に記載の発明は、デッドボルトと摘み部材とを有し、当該摘み部材の回転操作によりデッドボルトを出入りさせる錠前において、摘み部材を回転自在に支持する支持部材と、当該支持部材に係合可能な回転阻止部材と、当該回転阻止部材を支持部材から離反する方向に付勢する付勢手段とを有し、摘み部材は、前記支持部材に挿通される軸部と、当該軸部の一端側に形成された摘み部とを有し、前記回転阻止部材は、軸部に装着され、常時は支持部材から離反しており、摘み部が前記軸部の軸心周りのモーメントを受けることにより回転阻止部材に作用する力が、回転阻止部材が前記付勢手段から受ける付勢力よりも大きい場合に回転阻止部材が支持部材に近接して係合し、摘み部材の回動を阻止することを特徴とする錠前である。
【００１２】
本発明の錠前は、摘み部材の軸部に支持部材に係合可能な回転阻止部材が装着されているが、この回転阻止部材は、常時は支持部材から離反しており自由に動作できる。また、本発明の錠前では、回転阻止部材が受ける付勢力により、摘み部材が常に回転阻止部材側に引きつけられている。そのため、摘み部材は、この付勢力によって一定の姿勢に維持されている。従って、本発明の錠前は、通常の操作を行う限り摘み部材の回転操作をスムーズに行える。
【００１３】
一方、本発明の錠前は、摘み部材の摘み部にモーメントが作用し、これにより回転阻止部材に作用する力が、回転阻止部材が前記付勢手段から受ける付勢力よりも大きい場合に回転阻止部材が支持部材に近接する方向に移動して係合し、摘み部材の回動を阻止する。そのため、上記したサムターン回しのような不正開錠を行うべく摘み部の端部に集中的に荷重が作用すると、回転阻止部材が支持部材と係合し、摘み部材の回動ができなくなる。従って、本発明によれば、常時は従来技術の錠前と同様の操作により施錠あるいは開錠ができ、サムターン回しのような不正開錠に対応可能な防犯性に優れた錠前を提供できる。
【００１４】
上記請求項１に記載の錠前において、付勢手段は、回転阻止部材を軸部の軸心方向であって支持部材から離反する方向に付勢するものであってもよい。（請求項２）
【００１５】
本発明の錠前は、回転阻止部材が付勢手段によって回転操作の中心となる軸部の軸心方向であって支持部材から離反する方向に付勢されており自由に動作できる。また、摘み部材には付勢手段の付勢力が軸部の軸心を中心として作用しているため、この付勢力によって摘み部材が一定の姿勢を維持している。従って、本発明の錠前は、常時は摘み部材が一定の姿勢に維持されると共に、摘み部材の回転操作をスムーズに行える。
【００１６】
本発明の錠前は、摘み部材にモーメントが作用することにより付勢手段の付勢力よりも大きな力が作用した場合にのみ、回転阻止部材が支持部材側に近接する。そのため、本発明の錠前は、外部からの不正開錠の場合のように、摘み部材に大きなモーメントが作用する場合に限って摘み部材の回動を阻止できる。従って、本発明によれば、通常の開錠・施錠操作がスムーズに行えると共に、不正開錠を確実に阻止可能な錠前を提供できる。
【００１７】
また、上記請求項１又は２に記載の錠前は、支持部材が、摘み部材の軸部を挿通可能な挿通孔を有し、当該挿通孔の周部及び／又は摘み部材の軸部にテーパー部が設けられているものであってもよい。（請求項３）
【００１８】
本発明の錠前は、支持部材および摘み部材の少なくとも一方にテーパー部を設けた構成であるため、摘み部材の回転がスムーズに行える。また、本発明の錠前は、摘み部材に大きなモーメントが作用した場合に、これにより発生する力によって摘み部材が支持部材に対する移動がスムーズに行われる。さらに具体的には、例えば上記請求項１，２に記載の錠前においてテーパー部の形状を摘み部材の摘み部側に拡径する形状とした場合、摘み部材にモーメントが作用すると、回転阻止部材が支持部材側にスムーズに移動する。従って、本発明によれば、サムターン回し等の不正開錠を試みた際に摘み部材や回転阻止部材がスムーズに動作し、不正開錠を確実に阻止可能な錠前を提供できる。
【００１９】
また、上記したように、本発明の錠前は、回転阻止部材が付勢手段によって支持部材から付勢されており、これにより摘み部材が支持部材側に引きつけられている。一方、本発明の錠前は、支持部材の挿通孔の周部及び／又は摘み部材の軸部にテーパー部が設けられている。そのため、摘み部材が支持部材側に引きつけられると、摘み部材は前記したテーパー部によって案内され、常時は所定の位置で安定する。従って、上記した構成によれば、通常の操作を行う限り、従来技術の錠前と同様に摘み部材の回転操作を行える操作性に優れた錠前を提供できる。
【００２０】
また、上記請求項１乃至３のいずれかに記載の錠前は、回転阻止部材は係合部を有し、支持部材は、回転阻止部材と対向する位置に前記係合部と係合し、回転阻止部材の回転を阻止する被係合部を有しているものであってもよい。（請求項４）
【００２１】
本発明の錠前は、回転阻止部材側の係合部と、支持部材側の被係合部とが対向した位置関係にある。そのため、摘み部材に大きなモーメントが作用して回転阻止部材が支持部材側に移動すると、係合部と被係合部とが確実に係合する。従って、本発明によれば、外部からの摘み部材の操作を確実に防止可能で防犯特性に優れた錠前を提供できる。
【００２２】
ここで、上記請求項４に記載の錠前は、摘み部材の軸部に回転阻止部材が装着されたものであるため、摘み部材を回転操作すると、これに連動して回転阻止部材も回転する。そのため、摘み部材にモーメントが作用することにより回転阻止部材が支持部材側に移動して係合部と被係合部とが係合すると回転阻止部材の周方向に力が作用するものと想定される。
【００２３】
かかる知見に基づいて提供される請求項５に記載の発明は、上記請求項４に記載の錠前において、係合部が回転阻止部材の周方向に複数設けられており、係合部と同数あるいはそれ以上の被係合部が支持部材に設けられていることを特徴とするものである。
【００２４】
かかる構成によれば、回転阻止部材の周方向に作用する力を複数の係合部および被係合部に分散でき、摘み部材の回転動作をより一層確実に阻止できる。
【００２５】
また、上記請求項４又は５に記載の錠前において、係合部は、回転阻止部材の周上の２点を結ぶ線分上に位置していることが望ましい。（請求項６）
【００２６】
かかる構成によれば、回転阻止部材の周方向に作用する力をより一層確実に支持でき、錠前の不正開錠を確実に阻止できる。
【００２７】
また、本発明の錠前は、回転阻止部材の周上の２点を結ぶ線分上に係合部が位置しているため、摘み部材に作用するモーメントにより軸部が偏心して係合部は被係合部と確実に係合する。そのため、本発明によれば、外部から摘み部材の操作が不可能な防犯特性に優れた錠前を提供できる。
【００２８】
また、請求項７に記載の発明は、摘み部材と、摘み部材を回転自在に支持する支持部材と、当該支持部材に係合可能な回転阻止部材と、当該回転阻止部材を支持部材から離反する方向に付勢する付勢手段とを有し、摘み部材は、前記支持部材に挿通され錠本体と係合する軸部と、当該軸部の一端側に形成された摘み部とを有し、前記回転阻止部材は、軸部に装着され、常時は支持部材から離反しており、摘み部が前記軸部の軸心周りのモーメントを受けることにより回転阻止部材に作用する力が、回転阻止部材が前記付勢手段から受ける付勢力よりも大きい場合に回転阻止部材が支持部材に近接して係合し、摘み部材の回動を阻止することを特徴とするサムターンである。
【００２９】
本発明のサムターンは、摘み部材の軸部に、支持部材への係合が可能な回転阻止部材が装着されており、この回転阻止部材は、通常、支持部材から離反している。そのため、本発明のサムターンは、通常に摘み部材を回転操作を行う限りはスムーズに操作できる。
【００３０】
上記したように、サムターン回しのような不正開錠は、摘み部材の端部に工具を引っ掛けるなどして摘み部材を回転させるものであり、摘み部材には大きなモーメントが作用するものと想定される。本発明のサムターンは、かかる知見に基づいて提供されるものであり、上記したように常時は自由に摘み部材の回転操作が可能であるが、摘み部材の摘み部にモーメントが作用し、回転阻止部材に付勢手段による付勢力よりも大きな力が作用すると、回転阻止部材が支持部材に近接する方向に移動して摘み部材の回動を阻止構成となっている。そのため、本発明のサムターンは、不正開錠を行うべく摘み部の端部に集中的に荷重を作用させても、これにより回転阻止部材と支持部材とが係合してしまい、摘み部材が却って回動ができなくなる。従って、本発明によれば、通常はスムーズに摘み部材を回転操作できると共に、サムターン回しのような不正開錠を行おうとしても摘み部材を回転操作できない防犯特性に優れたサムターンを提供できる。
【００３１】
【発明の実施の形態】
続いて、本発明の一実施形態である錠前およびサムターンについて図面を参照しながら詳細に説明する。図１において、１は本実施形態の錠前である。錠前１は、図１，２のように錠本体２、デッドボルト３及びラッチ５を備えている。錠本体２は、従来公知の錠前と同様に本体ケース６の内部にデッドボルト３およびラッチ５と、これらを本体ケース６の側面７から出入りさせる動作機構（図示せず）とを内蔵している。
【００３２】
さらに具体的には、本体ケース６の正面８および裏面１０には、開口部１１，１１と、開口１２，１２が設けられている。開口１１には、上記した動作機構の一部であり、後述するサムターン軸７７（軸部）およびシリンダー錠３０の突片３６と係合する係合部１３が露出している。デッドボルト３は、サムターン軸７７や突片３６の回動と共に動作し、本体ケース６の側面７から出入りする。また同様に、開口１２には、上記した動作機構の一部を構成する角穴１５が露出している。角穴１５は、ドアハンドル２８の支軸となる角芯２７が挿通されるものである。上記した動作機構は、ドアハンドル２８の回転に連動して動作し、ラッチ５を本体ケース６の側面７から進退させるものである。
【００３３】
図１に示すように、錠前１は、本体ケース６をデッドボルト３およびラッチ５が扉２０の側面２１から進退可能な状態となるように扉２０内に固定される。また、扉２０の正面２２および背面２３側には、それぞれ本体ケース６の開口部１１，１２に相当する位置に取り付け孔２５，２６が窄孔されている。扉２０には、取り付け孔２５および開口１２，１２を貫通するように角芯２７が挿通されており、この角芯２７の両端にドアハンドル２８が固定されている。
【００３４】
また、背面２３側の取り付け孔２６には、シリンダー錠３０が装着されている。シリンダー錠３０は、図３に示すように外観が略円筒形であり、正面３２側に鍵（図示せず）を挿入するための鍵穴３１が設けられ、背面３５側に鍵の回転動作に連動して回転する突片３６が設けられている。シリンダー錠３０は、鍵穴３１のある正面３２側を外側に向けて扉２０に装着されている。シリンダー錠３０は、扉２０に埋設された本体ケース６の開口１１内の係合部１３に突片３６が係合するように固定される。そのため、シリンダー錠３０に鍵を挿入して回動させると、これに連動して本体ケース６内の動作機構が作動し、扉２０の側面２１からデッドボルト３が出入りする。
【００３５】
一方、扉２０の正面２２側に設けられた取り付け孔２５には、図１に示すように台座５１および支持部材５２を介して摘み部材５０が固定されている。台座５１の内側には、図４等に示すように、台座裏面５９側から垂直方向に突設された２つの柱状部５４，５４がある。柱状部５４，５４は、扉２０に取り付けた際にシリンダー錠３０の背面３５側に設けられた２つのネジ孔３７，３７に相当する位置にあり、その中心部に台座裏面５９側に貫通した貫通孔５３，５３が形成されている。台座５１およびシリンダー錠３０は、台座５１側から貫通孔５３，５３およびネジ孔３７，３７にネジを装着することにより扉２０に固定される。
【００３６】
台座５１は、台座正面５６側に向かって開口した凹部５７を有し、この凹部５７の底部であって、扉２０の取り付け孔２５に相当する位置に、後述するサムターン軸７７を挿通可能な貫通孔５８が設けられている。また、凹部５７には、台座正面５６からやや奥側の位置に支持部材５２の裏面６３と面接する面接片６０が設けられている。面接片６０には、支持部材５２を固定するネジ用のネジ孔６１が設けられている。
【００３７】
支持部材５２は、図５に示すように外観が扁平で円板状の形状を有する。支持部材５２は、表面６２側から裏面６３側に向けて貫通した軸挿通孔６５と貫通孔６６とを有する。軸挿通孔６５は、図５（ａ），図６（ａ）のように裏面６３側に向かうに従って開口径が縮小するテーパー部６７を表面６２側に有する。
【００３８】
支持部材５２は、図５（ｂ），図６（ｂ）に示すように裏面６３側に開口し、表面６２側に向けて凹状に形成されたボス部６８を有する。ボス部６８の中央部には、前記した軸挿通孔６５が開口しており、その周囲に裏面６３側に向けて環状に隆起した隆起部７０が設けられている。そして、隆起部７０とボス部６８の内周壁との間には、溝部７１が形成されており、この溝部７１にバネ９３（付勢手段）の巻線の端部が収納される。また、隆起部７０には、支持部材５２を図１に示す姿勢で取り付けた時に上方および下方となる位置に被係合部７２，７３が設けられている。さらに具体的には、被係合部７２，７３は、環状の隆起部７０の径方向に対向する位置に設けられており、表面６２側に向けて凹状に形成された部分である。換言すれば、被係合部７２，７３は、錠前１が施錠状態にあるときに後述する回転阻止部材８２の凸部８６，８７（係合部）が係合可能な位置に設けられた凹部である。
【００３９】
摘み部材５０は、図７に示すように大別して摘み部７５、テーパー部７６およびサムターン軸７７で構成されている。摘み部７５は、サムターン軸７７を回動させ、サムターン軸７７に接続された本体ケース６内の動作機構を介してデッドボルト３の操作を行うものである。また、テーパー部７６は、摘み部材５０を装着した際に支持部材５２の表面６２に設けられたテーパー部６７と面接触する形状となった部分である。即ち、テーパー部７６は、摘み部７５側からサムターン軸７７側にむかって縮径する形状に成形された部分であり、その傾斜角は支持部材５２に設けられたテーパー部６７の傾斜角と略同一である。
【００４０】
サムターン軸７７には、後述する回転阻止部材８２をピン留めするための小孔８０が設けられている。小孔８０は、サムターン軸７７の周方向に４つ設けられており、それぞれが等間隔となるように配置されている。また、サムターン軸７７の先端側には、周方向に４つの凹部８１が設けられている。凹部８１は、サムターン軸７７を本体ケース６の開口１２に挿入した時に、本体ケース６内にある係合部１３に係合する部分である。
【００４１】
また、サムターン軸７７とテーパー部７６との境界部分には、サムターン軸７７よりも径の太い太径部７８が設けられている。また、太径部７８と小孔７８との中間位置には、サムターン軸７７よりも径の細い細径部７９が設けられている。
【００４２】
回転阻止部材８２は、図８に示すように、サムターン軸７７が挿通可能な筒部８３と、筒部８３に連続したフランジ部８５と、フランジ部８５の裏面に設けられた凸部８６，８７とを有する。筒部８３の周部には、回転阻止部材８２をサムターン軸７７にピン留めするための小孔８９が設けられている。また、フランジ部８５は、筒部８３と軸心が一致し、外径が支持部材５２のボス部６８の開口径よりも一回り小さな円盤状の部位である。また、フランジ部８５の中央部には、筒部８３と貫通した貫通孔８８が設けられている。即ち、回転阻止部材８２は、フランジ部８５の裏面側から筒部８３に向かって貫通している。
【００４３】
フランジ部８５の裏面側には、貫通孔８８の周囲であって、上記した支持部材５２のボス部６８内に形成された被係合部７２，７３に相当する位置に軸方向に突出した凸部８６，８７が設けられている。また、フランジ部８５には、裏面側から観察したときに周部が中央部分よりも一段低くなっており、この部分がバネ装着部９２として機能する。即ち、バネ装着部９２には、バネ９３の巻線の端部が装着される。
【００４４】
摘み部材５０は、図９，１０に示すように支持部材５２と一体化された状態で台座５１に固定される。即ち、台座５１には、摘み部材５０、支持部材５２および回転阻止部材８２を具備したサムターン５５が装着される。さらに具体的には、摘み部材５０は、サムターン軸７７の凹部８１側を先端に向けた状態で支持部材５２の表面６２側から軸挿通孔６５に挿通される。この時、摘み部材５０の摘み部７５は、支持部材５２の表面６２側に位置する。また、摘み部材５０のテーパー部７６は、支持部材５２の表面６２側に設けられたテーパー部６７に面接している。
【００４５】
一方、サムターン軸７７には、支持部材５２の裏面６３側からバネ９３を介して回転阻止部材８２が装着される。この時、回転阻止部材８２は、筒部８３側がサムターン軸７７の先端側を向き、フランジ部８５が支持部材５２のボス部６８側を向く姿勢となっており、フランジ部８５がサムターン軸７７のテーパー部７６近傍にある太径部７８と当接している。また、回転阻止部材８２は、錠前１が施錠状態にある場合に凸部８６，８７が支持部材５２のボス部６８内にある被係合部７２，７３と対向する位置関係となる姿勢に固定される。さらに具体的に説明すると、本実施形態の錠前１は、摘み部材５０が図９（ａ）に示す姿勢になっている時に開錠状態となる。そのため、錠前１が開錠状態の時は、図９（ｂ）に示すように、回転阻止部材８２の凸部８６，８７が、ボス部６８の被係合部７２，７３に対して９０°ずれた位置関係になっている。また逆に、錠前１が施錠状態である場合、摘み部材５０は、図１０（ａ）のように摘み部７５が９０°倒れた状態となる。そのため、錠前１が施錠状態になっている場合は、図１０（ｂ）に示すように、回転阻止部材８２の凸部８６，８７が、ボス部６８内の被係合部７２，７３と対向した位置関係になる。回転阻止部材８２は、筒部８３の小孔８９およびサムターン軸７７の小孔８０にピンを挿通することにより脱落が防止されている。そのため、支持部材５２は、摘み部材５０のテーパー部７６と回転阻止部材８２とによって挟持されている。即ち、摘み部７５と回転阻止部材８２とは支持部材５２に対して対称の位置関係にある。
【００４６】
さらに詳細には、図１１，１２に示すように支持部材５２のボス部６８と回転阻止部材８２のフランジ部８５との間にはバネ９３が介在しているため、回転阻止部材８２は、支持部材５２に対して軸方向外側に向かう力を受ける。そのため、回転阻止部材８２は、常時は支持部材５２と離反した状態にあり、凸部８６，８７は、ボス部６８内の被係合部７２，７３と係合していない。
【００４７】
上記したように、摘み部材５０は、回転阻止部材８２と一体化されたものである。そのため、常時はバネ９３が回転阻止部材８２をサムターン軸７７の先端側に押し出そうとする弾性力によって摘み部材５０全体が支持部材５２の裏面６３側に引きつけられ、テーパー部７６が支持部材５２のテーパー部６７に密着した状態となって安定している。また、摘み部材５０は、バネ９３の弾性力の影響を受けるとテーパー部７６が支持部材のテーパー部６７に案内されるため、常時は軸部７７の軸心が支持部材５２の軸挿通孔６５の中心と一致した状態で安定している。即ち、摘み部材５０は、常時はバネ９３の弾性力により自動的に調芯されている。
【００４８】
摘み部材５０および支持部材５２は、支持部材５２の貫通孔６６からネジ６９を挿通し、このネジ６９を台座５１のネジ孔６１にねじ込むことにより台座５１に固定されている。支持部材５２は、裏面６３が台座５１の内周壁に設けられた面接片６０によって支持されており、台座５１の表面６２側から一部が露出した状態で固定されている。また、摘み部材５０を固定すると、サムターン軸７７は、台座裏面５９側に突出し、その先端部にある凹部８１が本体ケース６内の係合部１３と係合する。即ち、摘み部材５０は、本体ケース６内にあるデッドボルト３を動作させるための動作機構に接続される。
【００４９】
上記したようにして摘み部材５０が扉２０に固定された錠本体２に接続されると、摘み部７５をサムターン軸７７の軸心周りに回転させることにより、錠前１を施錠状態あるいは開錠状態とすることができる。
【００５０】
一方、摘み部７５の端部、即ちサムターン軸７７の軸心を離れた位置にモーメントが作用すると、摘み部材５０は、支持部材５２の裏面６３から表面６２に向かう方向に移動する。さらに具体的には、例えば錠前１が図１の矢印Ｌ方向に摘み部材５０の摘み部７５を回転させると開錠状態になるものである場合、錠前１を開錠する際には図１２に示すように摘み部７５の端部に矢印Ａに示すような力が作用する。この時、摘み部材５０のテーパー部７６には下方向への力Ｂが作用し、これにより斜め下方（矢印Ｃ方向）に向かう推進力が作用する。そのため、摘み部材５０は、支持部材５２のテーパー部６７に沿って表面６２側に移動する。
【００５１】
摘み部材５０が支持部材５２の表面６２側に移動すると、これに連動してサムターン軸７７に固定された回転阻止部材８２が移動し、バネ９３を押し縮めながらボス部６８の内側方向に侵入する。摘み部材５０に作用するモーメントが小さいときはテーパー部７６に作用する力が小さく、摘み部材５０は殆ど移動しない。そのため、例え回転阻止部材８２がボス部６８内に侵入したとしても回転阻止部材８２側の凸部８６，８７とボス部６８側の被係合部７２，７３とは係合しない。従って、通常の施錠・開錠動作においてサムターン軸７７の軸心位置から僅かに離れた位置に力が偏在して作用しても摘み部材５０の回転操作をスムーズに行える。即ち、摘み部材５０に作用するモーメントが小さい場合、錠前１はスムーズに開錠できる。
【００５２】
一方、図１の矢印Ｌ方向に摘み部材５０の摘み部７５を回転させる際に作用するモーメントが大きいとき、即ち摘み部７５に作用する力の作用点がサムターン軸７７の軸心から離れた位置にある場合、テーパー部７６に作用する力が大きくなり、摘み部材５０が移動する。さらに具体的に説明すると、例えば摘み部材５０が図１３に示すような姿勢になっている状態で摘み部７５の端部に図中上方から下方に向かう力Ａを作用させると、テーパー部７６にも下方向への力Ｂが作用する。そのため、摘み部材５０は、力Ｂの分力Ｃの影響を受け、テーパ６７に沿って移動しようとする。
【００５３】
その一方で、摘み部材５０には、バネ９３の影響により回転阻止部材８２に作用する力Ｄの分力Ｅが作用する。摘み部材５０に作用するモーメントに基づく分力Ｃがバネ９３の影響により発生する分力Ｅよりも大きい場合、摘み部材５０および回転阻止部材８２はボス部６８の奥側（図１３  矢印Ｆ方向）に移動する。これに伴い、回転阻止部材８２側の凸部８６，８７は、ボス部６８側の被係合部７２，７３と係合する。従って、摘み部材５０に大きなモーメントが作用すると、摘み部材５０は自由に回動できない状態となる。
【００５４】
また、錠前１が図１の矢印Ｒ方向に摘み部材５０の摘み部７５を回転させると開錠状態になるものである場合についても、摘み部材５０は同様の挙動を示す。さらに具体的には、摘み部材５０が図１４に示すような姿勢になっている状態で摘み部７５の端部に図中下方から上方に向かう力Ａ’が作用すると、テーパー部７６にも上方向への力Ｂ’が作用する。そのため、摘み部材５０は、力Ｂ’の分力Ｃ’の影響を受ける。一方、摘み部材５０には、バネ９３の影響による力Ｄの分力Ｅが作用する。
【００５５】
バネ９３により作用する分力Ｅが摘み部材５０に作用するモーメントの影響で発生する分力Ｃ’よりも大きい場合、摘み部材５０は、図１２に示す姿勢を維持して自由に回動できる。一方、摘み部材５０に作用するモーメントが大きく、分力Ｃ’がバネ９３による分力Ｅよりも大きくなると、摘み部材５０および回転阻止部材８２は図１４に矢印Ｆ’で示すようにテーパー部７６に沿う方向に移動し、回転阻止部材８２の凸部８６，８７とボス部６８の被係合部７２，７３とが係合する。そのため、錠前１は、摘み部材５０に大きなモーメントが作用すると摘み部材５０の回転操作ができなくなる。
【００５６】
上記したように、摘み部材５０に大きなモーメントが作用すると、回転阻止部材８２が支持部材５２のボス部６８内に侵入して係合し、摘み部材５０が自由に回動できない状態となる。即ち、錠前１は、摘み部７５の中央部を持たず、端部に集中的に荷重をかけて摘み部７５を回そうとした場合、凸部８６，８７と被係合部７２，７３とが係合してデッドボルト３の操作ができなくなる。また、錠前１は、摘み部材５０に作用するモーメントが大きいほど摘み部材５０を支持部材５２の表面６２側に引き寄せる力Ｃ，Ｃ’が大きくなる。そのため、摘み部材５０を操作しようとして摘み部７５の端部付近に大きな力を作用させるほど回転阻止部材８２がボス部６８内に侵入し、凸部８６，８７と被係合部７２，７３との係合力が強まる。即ち、錠前１は、摘み部材５０に作用するモーメントが大きくなるほど摘み部材５０の回転操作ができなくなる。従って、錠前１は、サムターン回しのような不正開錠を試みようとして摘み部材５０に大きなモーメントが作用すると摘み部材５０の回転が阻止され、優れた防犯特性を発揮できる。
【００５７】
また、本実施形態の錠前１は、摘み部材５０にモーメントが作用すると、サムターン軸７７の軸心が多少上下方向にずれる。しかし、錠前１は、上記したようにボス部６８内に形成された被係合部７２，７３が環状の隆起部７０の上下端に形成されており、さらに回転阻止部材８２は錠前１が施錠状態であるときに凸部８６，８７と被係合部７２，７３とが対向するように固定されている。そのため、上記した構成によれば、サムターン軸７７の軸心が多少上下方向にずれても凸部８６，８７と被係合部７２，７３とを確実に係合させ、錠前１の不正開錠を防止できる。
【００５８】
本実施形態では、摘み部材５０および支持部材５２のそれぞれにテーパー部６７，７６を設けた構成を例示したが、例えばテーパー部６７，７６のいずれか一方だけ具備した構成であってもよい。また、錠前１は、テーパー部６７，７６に相当する部位が段形状になったものであってもよい。
【００５９】
【発明の効果】
本発明によれば、サムターンの回動操作を正常に行う場合はスムーズに施錠・開錠を行えると共に、外部から摘み部材の回動操作を行う場合のように摘み部材に大きなモーメントが作用する場合は摘み部材の回動操作が阻止される防犯特性に優れた錠前およびサムターンを提供できる。
【図面の簡単な説明】
【図１】本発明の一実施形態である錠前の扉への固定状態を示す分解斜視図である。
【図２】本発明の一実施形態である錠前の錠本体を示す斜視図である。
【図３】図１に示す錠前において採用されているシリンダー錠を示す斜視図である。
【図４】図１に示す錠前が具備している台座を示す斜視図および正面図である。
【図５】図１に示す錠前において採用されている支持部材を示す斜視図である。
【図６】図１に示す錠前において採用されている支持部材を示す正面図である。
【図７】図１に示す錠前が備えている摘み部材を示す斜視図である。
【図８】図１に示す錠前が具備している回転阻止部材を示す斜視図である。
【図９】（ａ）は図１に示す錠前が備えるサムターンを示す斜視図であり、（ｂ）は（ａ）のＡ−Ａ断面図である。
【図１０】（ａ）は図１に示す錠前が備えるサムターンを示す斜視図であり、（ｂ）は（ａ）のＡ−Ａ断面図である。
【図１１】（ａ）は図１に示す錠前におけるサムターンの分解斜視図である。
【図１２】図１０（ａ）のＢ−Ｂ断面図である。
【図１３】図１０（ａ）のＢ−Ｂ断面図である。
【図１４】図１０（ａ）のＢ−Ｂ断面図である。
【符号の説明】
１  錠前
３  デッドボルト
５０  摘み部材
５５  サムターン
５２  支持部材
６５  軸挿通孔
６７  テーパー部
７２，７３  係合部
７５  摘み部
７７  サムターン軸（軸部）
８２  回転阻止部材
８６，８７  凸部（係合部）
９３  バネ（付勢手段）
【図１】
2004346663.tif 000003
【図２】
2004346663.tif 000004
【図３】
2004346663.tif 000005
【図４】
2004346663.tif 000006
【図５】
2004346663.tif 000007
【図６】
2004346663.tif 000008
【図７】
2004346663.tif 000009
【図８】
2004346663.tif 000010
【図９】
2004346663.tif 000011
【図１０】
2004346663.tif 000012
【図１１】
2004346663.tif 000013
【図１２】
2004346663.tif 000014
【図１３】
2004346663.tif 000015
【図１４】
2004346663.tif 000016